(57)【要約】      （修正有）【課題】天板上における載置物の載置スペースが大きく且つ折り畳みが容易で耐荷重性、収納性及び可搬性に優れたテーブルを提供する。【解決手段】テーブル１０は、天板部１１、１２と、天板部１１、１２を支持する脚部１３、１４とを有する一対のテーブル構成体１７、１８を備える。脚部１３、１４は互いに回動可能に軸部１５により軸支されると共に、天板部１１、１２は脚部１３、１４の上端部に回動可能に軸支される。脚部１３、１４を、軸部１５を中心に回動させて開いた場合には、脚部１３、１４の上端部において天板部１１、１２は互いに端部が当接した状態で展張して天板４７を形成すると共に、脚部１３、１４を、軸部１５を中心に閉じた場合には、天板部１１、１２は脚部１３、１４の上端部を中心に回動して脚部１３、１４に沿って配置させて折り畳むことができる。【選択図】図１
0003186446.tif 000002
【実用新案登録請求の範囲】
【請求項１】
天板部と、上記天板部を支持する脚部とを有する一対のテーブル構成体を備え、上記脚部は互いに回動可能に軸部により軸支されると共に、上記天板部は上記脚部の上端部に回動可能に軸支され、上記脚部を、上記軸部を中心に回動させて開いた場合には、上記脚部の上端部において上記天板部は互いに端部が当接した状態で展張して天板を形成すると共に、上記脚部を、上記軸部を中心に閉じた場合には、上記天板部は上記脚部の上端部を中心に回動して上記脚部に沿って配置させて折り畳むことができることを特徴とするテーブル。
【請求項２】
上記天板部は、天板本体と、上記天板本体の裏面側に配設されている天板本体支持部とを備え、上記天板本体支持部は上記天板本体支持部の端部において上記脚部の上端部に回動可能に軸支されていることを特徴とする請求項１に記載のテーブル。
【請求項３】
上記天板本体は平面略方形状に形成されると共に、上記天板本体支持部は棒状に形成され、上記天板本体支持部の一方は上記天板本体の幅方向両端部に夫々固定されると共に、上記天板本体支持部の他方は上記天板本体において上記天板本体支持部の一方よりも幅方向外方に固定され、上記天板本体は上記脚部に軸支されている上記天板本体支持部の端部から所定間隔離間して上記天板本体支持部に固定され、上記脚部は、内方脚部と外方脚部とにより構成され、上記天板本体支持部の一方は上記内方脚部に軸支されると共に、上記天板本体支持部の他方は上記外方脚部に軸支されており、上記脚部を、上記軸部を中心に回動させて開いた場合には、上記天板本体の一方は、上記天板本体支持部の他方上に載置されると共に、上記天板本体の他方は、上記天板本体支持部の一方上に載置されて上記天板部を構成することを特徴とする請求項１に記載のテーブル。
【請求項４】
上記天板本体支持部の一方の間には、折り畳んだ際に搬送用の把持部となりうるパイプ部が固定されていることを特徴とする請求項３に記載のテーブル。
【請求項５】
上記内方脚部の下端部には、折り畳んだ際に搬送用の把持部となりうるパイプ部が固定されていることを特徴とする請求項３に記載のテーブル。
【請求項６】
上記天板本体は、木製、金属製又は合成樹脂製であることを特徴とする請求項２に記載のテーブル。
【請求項７】
上記脚部、上記天板本体支持部及び上記パイプ部は、金属製又は合成樹脂製であることを特徴とする請求項１、２、４又は５の何れか１項に記載のテーブル。
【考案の詳細な説明】
【技術分野】
【０００１】
本考案は、天板上における載置物の載置スペースが大きく且つ折り畳みが容易で耐荷重性、収納性及び可搬性に優れたテーブルに関するものである。
【背景技術】
【０００２】
従来から、一般家庭や企業等で用いられる折畳みが可能なテーブルとして、天板と脚部とを備えてなり、脚部が折畳まれて天板の裏面側に収納されるテーブルが広く知られていた（例えば、特許文献１参照）。
【０００３】
しかしながら、脚部が天板の裏面側に収納されるテーブルは、折畳み後の縦横幅方向寸法の最小値が、天板の縦横幅方向寸法に比例するため、コンパクトなテーブルを提供しようとする場合には、天板を小さくする以外に方法がなく、また、天板を小さくしてしまうと、天板上における載置物の載置スペースを狭めることになるという問題があった。
【０００４】
一方、天板を大きくすると、載置物の荷重を支持することが可能な大型の脚部を設ける必要があり、その結果、テーブル自体が大型化して折り畳み操作の困難性が増すばかりか、テーブルの大型化により収納性及び可搬性が低下するという問題があった。
【特許文献１】特開２０１２−１８７３３６号公報
【考案の開示】
【考案が解決しようとする課題】
【０００５】
本考案は、上記従来技術の有する問題点に鑑みなされたものであり、その目的とするところは、天板上における載置物の載置スペースが大きく且つ折り畳みが容易で耐荷重性、収納性及び可搬性に優れたテーブルを提供することにある。
【課題を解決するための手段】
【０００６】
本考案の上記課題は、下記の手段によって達成される。
【０００７】
請求項１に記載の考案に係るテーブルは、天板部と、上記天板部を支持する脚部とを有する一対のテーブル構成体を備え、上記脚部は互いに回動可能に軸部により軸支されると共に、上記天板部は上記脚部の上端部に回動可能に軸支され、上記脚部を、上記軸部を中心に回動させて開いた場合には、上記脚部の上端部において上記天板部は互いに端部が当接した状態で展張して天板を形成すると共に、上記脚部を、上記軸部を中心に閉じた場合には、上記天板部は上記脚部の上端部を中心に回動して上記脚部に沿って配置させて折り畳むことができることを特徴とする。
【０００８】
従って、本考案に係るテーブルは、上記脚部を、上記軸部を中心に回動させて開いた場合には、上記脚部の上端部において上記天板部は互いに端部が当接した状態で展張して天板を形成すると共に、上記脚部を、上記軸部を中心に閉じた場合には、上記天板部は上記脚部の上端部を中心に回動して上記脚部に沿って配置させて折り畳むことができることにより、一対の天板部により通常の二倍の大きさの天板を形成することができる。
【０００９】
請求項２に記載の考案に係るテーブルは、上記天板部は、天板本体と、上記天板本体の裏面側に配設されている天板本体支持部とを備え、上記天板本体支持部は上記天板本体支持部の端部において上記脚部の上端部に回動可能に軸支されていることを特徴とする。
【００１０】
従って、本考案に係るテーブルは、上記天板本体支持部が上記天板本体支持部の端部において上記脚部の上端部に回動可能に軸支されていることにより、上記天板本体支持部を回動させることで、上記天板部を上記脚部側へ折畳むことができる。
【００１１】
請求項３に記載の考案に係るテーブルは、上記天板本体は平面略方形状に形成されると共に、上記天板本体支持部は棒状に形成され、上記天板本体支持部の一方は上記天板本体の幅方向両端部に夫々固定されると共に、上記天板本体支持部の他方は上記天板本体において上記天板本体支持部の一方よりも幅方向外方に固定され、上記天板本体は上記脚部に軸支されている上記天板本体支持部の端部から所定間隔離間して上記天板本体支持部に固定され、上記脚部は、内方脚部と外方脚部とにより構成され、上記天板本体支持部の一方は上記内方脚部に軸支されると共に、上記天板本体支持部の他方は上記外方脚部に軸支されており、上記脚部を、上記軸部を中心に回動させて開いた場合には、上記天板本体の一方は、上記天板本体支持部の他方上に載置されると共に、上記天板本体の他方は、上記天板本体支持部の一方上に載置されて上記天板部を構成することを特徴とする。
【００１２】
従って、本考案に係るテーブルは、上記脚部を、上記軸部を中心に回動させて開いた場合には、上記天板本体の一方は、上記天板本体支持部の他方上に載置されると共に、上記天板本体の他方は、上記天板本体支持部の一方上に載置されて上記天板部を構成することにより、上記天板本体を両方の天板本体支持部で支えることができ、また、上記脚部上に一対の天板本体により天板部を形成することができ、載置物の荷重を支持することができる。
【００１３】
請求項４に記載の考案に係るテーブルは、上記天板本体支持部の一方の間には、折り畳んだ際に搬送用の把持部となりうるパイプ部が固定されていることを特徴とし、また、請求項５に記載の考案に係るテーブルは、上記内方脚部の下端部には、折り畳んだ際に搬送用の把持部となりうるパイプ部が固定されていることを特徴とする。
【００１４】
従って、本考案に係るテーブルは、上記天板本体支持部の一方の間と上記内方脚部の下端部とに、折り畳んだ際に搬送用の把持部となりうるパイプ部が固定されていることにより、各パイプ部を把持して容易に持ち運ぶことができる。
【００１５】
請求項６に記載の考案に係るテーブルは、上記天板本体は、木製、金属製又は合成樹脂製であることを特徴とし、また、請求項７に記載の考案に係るテーブルは、上記脚部、上記天板本体支持部及び上記パイプ部は、金属製又は合成樹脂製であることを特徴とする。
【００１６】
従って、本考案に係るテーブルは、上記天板本体が、木製、金属製又は合成樹脂製であること、また、上記脚部、上記天板本体支持部及び上記パイプ部が、金属製又は合成樹脂製であることにより、上記天板部等を製造する場合において、様々な素材を適用することができる。
【考案の効果】
【００１７】
請求項１に記載の考案にあっては、上記脚部を、上記軸部を中心に回動させて開いた場合には、上記脚部の上端部において上記天板部は互いに端部が当接した状態で展張して天板を形成すると共に、上記脚部を、上記軸部を中心に閉じた場合には、上記天板部は上記脚部の上端部を中心に回動して上記脚部に沿って配置させて折り畳むことができることにより、一対の天板部により通常の二倍の大きさの天板を形成することができるので、天板の載置スペースを減少させることなく、折畳んだ際のテーブルの省スペース化を図ることができる。
【００１８】
請求項２に記載の考案にあっては、上記天板本体支持部が上記天板本体支持部の端部において上記脚部の上端部に回動可能に軸支されていることにより、上記天板本体支持部を回動させることで、上記天板部を上記脚部側へ折畳むことができるので、折畳み操作を容易にすることができると共に、テーブルの省スペース化を図ることができるため、折畳んでコンパクトに収納することができる。
【００１９】
請求項３に記載の考案にあっては、上記脚部を、上記軸部を中心に回動させて開いた場合には、上記天板本体の一方は、上記天板本体支持部の他方上に載置されると共に、上記天板本体の他方は、上記天板本体支持部の一方上に載置されて上記天板部を構成することにより、上記天板本体を両方の天板本体支持部で支えることができ、また、上記脚部上に一対の天板本体により天板部を形成することができ、載置物の荷重を支持することができるので、収納性に優れると共に、耐荷重性に優れたテーブルを提供することができる。
【００２０】
請求項４及び５に記載の考案にあっては、上記天板本体支持部の一方の間と上記内方脚部の下端部とに、折り畳んだ際に搬送用の把持部となりうるパイプ部が固定されていることにより、各パイプ部を把持して容易に持ち運ぶことができ、可搬性に優れたテーブルを提供することができる。
【００２１】
請求項６及び７に記載の考案にあっては、上記天板本体が、木製、金属製又は合成樹脂製であること、また、上記脚部、上記天板本体支持部及び上記パイプ部が、金属製又は合成樹脂製であることにより、上記天板部等を製造する場合において、様々な素材を適用することができるので、顧客の要望や用途に合わせると共に、外観品質に優れたテーブルを製造することができる。
【図面の簡単な説明】
【００２２】
【図１】本考案に係るテーブルの一実施の形態を示す斜視図である。
【図２】本考案に係るテーブルの一実施の形態を示し、本実施形態に係るテーブルを下方から見上げた状態を示す図である。
【図３】本考案に係るテーブルの一実施の形態を示し、本実施形態に係るテーブルを折畳む過程のうちの一場面を示す図である。
【図４】本考案に係るテーブルの一実施の形態を示し、本実施形態に係るテーブルを折畳む過程のうちの他の場面を示す図である。
【図５】本考案に係るテーブルの一実施の形態を示し、本実施形態に係るテーブルを折畳む過程のうちの他の場面を示す図である。
【図６】本考案に係るテーブルの一実施の形態を示し、本実施形態に係るテーブルを折畳んだ状態を示す図である。
【考案を実施するための最良の形態】
【００２３】
以下、本考案に係るテーブルを実施の形態に基づき、図面を参照して詳細に説明する。なお、本考案のテーブルは、以下の実施形態に限定されるものではなく、本考案の要旨を逸脱しない範囲内において種々変更を加え得ることは可能である。
【００２４】
まず、本考案に係るテーブル１０の構成について説明する。
【００２５】
図１及び図２に示すように、本考案に係るテーブル１０は、天板部１１、１２と、天板部１１、１２を支持する脚部１３、１４と、脚部１３、１４を互いに回動可能に軸止する軸部１５、１６とを有する一対のテーブル構成体１７、１８を備えている。
【００２６】
図２及び図４に示すように、天板部１１、１２は、同一の大きさに形成された平面略長方形状に形成された木製の天板本体２１、２２と、天板本体２１、２２の裏面２５、２６において幅方向端部に一対に配置され、棒状に形成された金属製の天板本体支持部２３、２４とを備えており、天板本体支持部２３、２４の端部２７、２８と脚部１３、１４の上端部１９、２０とが、軸部４１、４２により回動可能に軸止されている。
【００２７】
また、図４に示すように、天板本体２１、２２は、脚部１３、１４に軸支されている天板本体支持部２３、２４の端部２７、２８から同一の間隔Ｌ１、Ｌ２だけ離間して天板本体支持部２３、２４に夫々固定されている。
【００２８】
図２に示すように、天板本体支持部２４、２４は、天板本体２２の裏面２６の幅方向端部２９、２９に夫々固定され、天板本体支持部２３、２３は、天板本体２１の裏面２５において天板本体支持部２４、２４よりも外方寄りに幅方向端部３０、３０に夫々固定され、天板本体支持部２３、２３と天板本体支持部２４、２４とは互いに平行に、夫々、天板本体２１及び天板本体２２に固定されている。
【００２９】
図２及び図４に示すように、天板本体支持部２４、２４の間には、棒状に形成された金属製のパイプ部３１が、端部２８、２８付近に固定されている。
【００３０】
図１及び図２に示すように、脚部１３、１４は、棒状に形成された金属製の内方脚部３２、３３と、内方脚部３２、３３と同一の長さ寸法であって、棒状に形成された金属製の外方脚部３４、３５とにより構成され、内方脚部３２、３３と外方脚部３４、３５とは中間部において軸部１５、１６により互いに回動可能に軸支されている。
【００３１】
また、図１及び図２に示すように、内方脚部３２、３３の下端部３６、３７の間には、棒状に形成された金属製のパイプ部３８が固定されている。
【００３２】
従って、本実施形態に係るテーブル１０は、天板本体支持部２４、２４の間と内方脚部３２、３３の下端部３６、３７の間とに、テーブル１０を折り畳んだ際に搬送用の把持部となりうるパイプ部３１、３８が夫々固定されていることにより、パイプ部３１、３８を把持して容易にテーブル１０を持ち運ぶことができる。
【００３３】
次に、本考案に係るテーブル１０の使用方法について説明する。
【００３４】
本実施の形態に係るテーブル１０を使用する場合には、図３及び図４に示すように、脚部一対の脚部１３、１４を軸部１５、１６を中心に拡開する。
【００３５】
そして、図３に示すように、天板本体２１は天板本体支持部２４上に、また、天板本体２２は天板本体支持部２３上に載置し、天板本体２１、２２の内方側の幅方向端部が互いに当接するまで脚部１３、１４を拡開させることにより、図１及び図２に示すように、側面Ｘ字状の脚部を有するテーブル１０が形成される。
【００３６】
この場合、天板本体２１、２２は夫々、天板本体支持部２３、２４上に載置されていることから、天板４７は脚部１３、１４を介して載置面上にしっかりと立設され、所定の荷重を有するものを天板４７上に載置した場合であっても、充分に荷重を支持することができ、様々な用途にテーブルとして使用することができる。
【００３７】
次に、テーブル１０を折りたたむ場合には、図３及び図４に示すように、天板本体２１、２２の外方端部３９、４０を把持して、同時に外側方向（図３及び図４中の矢印Ａ方向）に引っ張ることにより、天板本体支持部２３、２４が夫々軸部４１、４２を介して回動可能に端部に接合されている脚部１３、１４は相互に軸部１５、１６を中心として内方へ回動し、内方脚部３２、３３及び外方脚部３４、３５が、内側方向（図３及び図４中の内向き矢印Ｂの方向）に互いに接近する。
【００３８】
次いで、図４に示すように、天板本体２１、２２の端部４５、４６が互いに離間した状態において、天板本体２１、２２の外方端部３９、４０を把持して下側方向（図４中の下向き矢印Ｃの方向）に倒すと、図５に示すように、軸部４１、４２を中心にして天板本体支持部２３、２４が互いに下方（矢印Ｄの方向）へ回動すると共に、外方脚部３４、３５の内側に内方脚部３２、３３が配置され、互いに一直線に沿った状態となる。
【００３９】
その後、天板本体２１、２２を完全に脚部１３、１４に沿わせる位置にまで回動させた場合には、図６に示すように、天板支持部２３、２３は外方脚部３４、３５の外側部に当接した状態で一直線状に沿った状態となると共に、天版支持部２４、２４は内方脚部３２、３３の内側部に当接した状態で一直線に沿った状態となる。
【００４０】
また、図６に示すように、天板本体２１、２２は夫々、脚部１３、１４の両側部に当接し、で互いに対向する状態で折りたたまれる。
【００４１】
従って、本実施の形態に係るテーブル１０においては、図６に示すように、脚部１３、１４及び天板本体２１、２２を完全に折りたたんだ状態に形態を変更することができる。
【００４２】
その結果、本実施の形態に係るテーブル１０にあっては、図１に示すように、天板４７の載置スペースを減少させることなく、折畳んだ際のテーブル１０の省スペース化を図ることができる。
【００４３】
また、本実施の形態に係るテーブル１０にあっては、折畳み操作及び組み立て操作が容易であって迅速に組み立てまたは収納状態に変更することができることから、使いやすい折畳み式のテーブルを提供することができる。
【００４４】
なお、上述した実施形態に係るテーブル１０においては、木製の天板本体２１、２２が設けられた構成を例に挙げて説明したが、利用者の要望やテーブルの種類等に合わせて、天板本体２１、２２の素材を金属や合成樹脂等に適宜変更することが可能である。
【００４５】
また、上述した実施形態に係るテーブル１０においては、金属製の脚部１３、１４、天板本体支持部２３、２４及びパイプ部３１、３８が設けられた構成を例に挙げて説明したが、利用者の要望やテーブルの種類等に合わせて、脚部１３、１４、天板本体支持部２３、２４及びパイプ部３１、３８の素材を合成樹脂等に適宜変更することが可能である。
【産業上の利用可能性】
【００４６】
本考案に係るテーブルは、天板上における載置物の載置スペースが大きく且つ折り畳みが容易で耐荷重性、収納性及び可搬性に優れているので、テーブルとして極めて有用であることから、産業上の利用可能性を有している。
【符号の説明】
【００４７】
１０・・・テーブル
１１・・・天板部
１２・・・天板部
１３・・・脚部
１４・・・脚部
１５・・・軸部
１６・・・軸部
１７・・・テーブル構成体
１８・・・テーブル構成体
１９・・・上端部
２０・・・上端部
２１・・・天板本体
２２・・・天板本体
２３・・・天板本体支持部
２４・・・天板本体支持部
２５・・・裏面
２６・・・裏面
２７・・・端部
２８・・・端部
２９・・・幅方向端部
３０・・・幅方向端部
３１・・・パイプ部
３２・・・内方脚部
３３・・・内方脚部
３４・・・外方脚部
３５・・・外方脚部
３６・・・下端部
３７・・・下端部
３８・・・パイプ部
３９・・・外方端部
４０・・・外方端部
４１・・・軸部
４２・・・軸部
４５・・・端部
４６・・・端部
４７・・・天板
Ｌ１・・・所定間隔
Ｌ２・・・所定間隔
Ａ・・・矢印
Ｂ・・・矢印
Ｃ・・・矢印
Ｄ・・・矢印
【図１】
0003186446.tif 000003
【図２】
0003186446.tif 000004
【図３】
0003186446.tif 000005
【図４】
0003186446.tif 000006
【図５】
0003186446.tif 000007
【図６】
0003186446.tif 000008